(57)【特許請求の範囲】
【請求項１】
像担持体上に保持された画像情報を転写紙上に転写させ、該転写紙を静電的に吸着して搬送する転写ベルトと、該転写ベルトを駆動する駆動手段と、上記転写ベルトに電荷を付与する帯電手段と、転写紙が上記転写ベルトから分離した直後に転写紙を案内するガイド部材を備える転写搬送装置において、上記転写ベルトの表面抵抗率が１０１３〜１０１４Ω／ｃｍ２、上記ガイド部材の表面抵抗率が上記転写ベルトの表面抵抗率と同一以上かつ１００倍以下であることを特徴とする転写搬送装置。
【請求項２】
上記ガイド部材中央部に位置して転写紙を除電する電極部材を備えることを特徴とする請求項１の転写搬送装置。
【請求項３】
像担持体上に保持された画像情報を転写紙上に転写させ、該転写紙を静電的に吸着して搬送する転写ベルトと、該転写ベルトを駆動する駆動手段と、上記転写ベルトに電荷を付与する帯電手段と、転写紙が上記転写ベルトから分離した直後に転写紙を案内するガイド部材と、該ガイド部材中央部に位置して転写紙を除電する電極部材を備える転写搬送装置を有し、上記ガイド部材の通紙方向下流側に、転写紙を定着ローラへと案内する定着入口ガイド部材を有する画像形成装置において、上記転写ベルトの表面抵抗率が１０１３〜１０１４Ω／ｃｍ２、上記ガイド部材の表面抵抗率が上記転写ベルトの表面抵抗率と同一以上かつ１００倍以下であることを特徴とする画像形成装置。
【発明の詳細な説明】
【０００１】
【発明の属する技術分野】
本発明は、静電転写ベルトを有する転写搬送装置と、これを用いた複写機、ファクシミリ、プリンタ等の画像形成装置に関する。
【０００２】
【従来の技術】
一般に、この種の転写搬送装置の転写ベルトでは、像転写後の転写紙及びトナーの除電機構を持っていないため、転写ベルトから転写紙が分離するときの剥離放電により、転写紙先後端部より、端部近くのトナー像及び地肌部のトナーが転写出口ガイド板へと飛散してしまい、飛散したトナーを転写紙が掻き取って、転写紙先後端が汚れてしまうことがある。
【０００３】
また、転写出口ガイド板から定着入口ガイド板へと転写紙が移動する際、転写出口ガイド板より転写紙が分離する時の剥離放電により画像乱れは発生しないが、転写紙先後端部より端部近くのトナー像及び地肌部のトナーが定着入口ガイド板上へと飛散してしまうことがある。すると、転写出口ガイド板と同様に定着入口ガイド板上に飛散したトナーを転写紙が掻き取り、転写紙先後端部が汚れてしまう。そこで、定着入口ガイド板へのトナー飛散を、転写出口ガイド板に転写紙を除電するための電極部材を設けることで防止してきた。
【０００４】
【発明が解決しようとする課題】
しかしながら、転写出口ガイド板が転写ベルトに対して表面抵抗率が高いと、ガイド板が帯電し、転写紙の搬送が不安定になり、転写紙の搬送が不安定になると、電極部材と転写紙の距離が不安定になり、電極部材で異常放電が発生し、画像乱れが発生するという問題が残っている。現状では、転写出口ガイド板のトナー飛散、定着入口ガイド板へのトナー飛散と電極部材での画像乱れの両立は困難であると考えられている。
【０００５】
本発明はこのような従来の問題、課題にかんがみ、転写紙を転写ベルトから分離するときの剥離放電を防止し、転写出口ガイド板へのトナー飛散を防止し、転写紙先後端部の汚れを防止することができる転写搬送装置を提供することを目的とする。
【０００６】
また本発明は、転写出口ガイド板の帯電を防ぎ、転写紙の搬送及び転写紙と除電針の距離を安定させ、電極部材での画像乱れを防止することができる画像形成装置を提供することを目的とする。
【０００７】
さらに本発明は、転写出口ガイド板及び定着入口ガイド板のトナー飛散による転写紙先後端の汚れを防止するとともに、電極部材での画像乱れを防止することができる転写搬送装置及び画像形成装置を提供することをも目的とする。
【０００８】
【課題を解決するための手段】
本発明の請求項１に係る転写搬送装置は、上記目的を達成するために、像担持体上に保持された画像情報を転写紙上に転写させ、該転写紙を静電的に吸着して搬送する転写ベルトと、該転写ベルトを駆動する駆動手段と、上記転写ベルトに電荷を付与する帯電手段と、転写紙が上記転写ベルトから分離した直後に転写紙を案内するガイド部材を備える転写搬送装置において、上記転写ベルトの表面抵抗率が１０１３〜１０１４Ω／ｃｍ２、上記ガイド部材の表面抵抗率が上記転写ベルトの表面抵抗率と同一以上かつ１００倍以下であることを特徴とする。
【０００９】
同請求項２に係るものは、上記目的を達成するために、上記ガイド部材中央部に位置して転写紙を除電する電極部材を備えることを特徴とする。
【００１０】
また本発明の請求項３に係る画像形成装置は、上記目的を達成するために、像担持体上に保持された画像情報を転写紙上に転写させ、該転写紙を静電的に吸着して搬送する転写ベルトと、該転写ベルトを駆動する駆動手段と、上記転写ベルトに電荷を付与する帯電手段と、転写紙が上記転写ベルトから分離した直後に転写紙を案内するガイド部材と、該ガイド部材中央部に位置して転写紙を除電する電極部材を備える転写搬送装置を有し、上記ガイド部材の通紙方向下流側に、転写紙を定着ローラへと案内する定着入口ガイド部材を有する画像形成装置において、上記転写ベルトの表面抵抗率が１０１３〜１０１４Ω／ｃｍ２、上記ガイド部材の表面抵抗率が上記転写ベルトの表面抵抗率と同一以上かつ１００倍以下であることを特徴とする。
【００１２】
【発明の実施の形態】
以下本発明の実施の形態を図面を参照して説明する。
図１は本発明の対象となる画像形成装置の転写搬送装置周り及び定着ローラ、定着入口ガイド板の構成を概略的に示す。図中１は感光体ドラムで、感光体ドラム１の下方に、感光体ドラム１と転写ニップ部９で当接し、転写ニップ部９において感光体ドラム１と同方向に同一速度で移動する転写ベルト２が設けてある。
【００１３】
転写ベルト２は、駆動ローラ３と従動ローラ４間に掛け回されている。従動ローラ４の手前側（転写紙搬送方向における上流側）にはレジストローラ５が設けてある。転写ベルト２の下側の表面にはテンション付与用のレバー６が配してある。また、転写ベルト２の上側の裏面には転写バイアスローラ７が接触している。
【００１４】
転写バイアスローラ７は、感光体１と弾性体のゴムベルトからなる転写ベルト２とのニップ部９よりも転写紙搬送方向における下流側に位置し、転写ベルト２の裏面からトナーとは逆極性の電荷を付与している。
【００１５】
駆動ローラ３近傍の転写ベルト下側の表面には、転写ベルト２上のトナーや紙粉を除去するためのクリーニング装置１０が設けてある。クリーニング装置１０は、クリーニングブレード１１、クリーニングバイアスローラ１２、回収コイル１３、バイアスローラクリーニングブレード１４から構成されている。
【００１６】
図２は、駆動ローラ３の下流側に設けた転写出口ガイド板１８と電極板１９を示す拡大断面図である。転写ベルト２により搬送されてきた転写紙は、転写出口ガイド板１８に案内されて定着入口ガイド板１５に搬送され、定着入口ガイド板により定着装置の定着ローラ１６と加圧ローラ１７の間へと案内される。転写出口ガイド板１８には針形状をした電極板１９が設置してあり、転写紙を除電している。なお、電極板１９はアースに接地してあり、特に電圧は掛けていない。
【００１７】
図３は、転写出口ガイド１８の表面抵抗率とトナー飛散の関係を、図４は、転写出口ガイド板１８の表面抵抗率と画像乱れの関係をそれぞれ示す図である。なおこれらの図において、トナー飛散及び画像乱れは、○発生せず、△やや発生、×発生で表している。
【００１８】
図３において、トナー飛散は転写出口ガイド板１８の表面抵抗率は転写ベルト２と同程度の表面抵抗率である１０１３Ω／ｃｍ２よりも低い時に発生している。これは転写ベルト２より転写紙が分離する際の剥離放電は、転写出口ガイド板１８の表面抵抗率が転写ベルト２の表面抵抗率よりも低いと、転写紙分離時の電界変動が大きく、トナーが飛散するためと考えられる。また図４において、画像乱れは、転写出口ガイド板１８の表面抵抗率が転写ベルト２の表面抵抗率よりも２オーダー以上高い時に発生している。これは、転写出口ガイド板１８の表面抵抗率が高いと、転写出口ガイド板１８が転写紙との摩擦により帯電するため、転写紙を反発し、電極板１９の手前で転写紙が浮き上がるため、電極板１９が適正位置で転写紙を除電できないため、電極板１９に放電が集中して画像乱れが発生すると考えられる。
【００１９】
そこで、本発明の実施形態としては、図３、図４により、上述のような構成の転写搬送装置及び画像形成装置において、トナー飛散及び画像乱れをともに改善するために、転写出口ガイド板１８の表面抵抗率を１０13Ω／ｃｍ2以上１０15Ω／ｃｍ2以下とする。
【００２０】
【発明の効果】
請求項１の転写搬送装置は、以上説明してきたように、転写ベルトの表面抵抗率が１０１３〜１０１４Ω／ｃｍ２、ガイド部材の表面抵抗率が上記転写ベルトの表面抵抗率と同一以上かつ１００倍以下という構成としたので、転写紙が転写ベルトから分離するときの剥離放電を防止し、出口側のガイド部材へのトナー飛散を防止し、転写紙先後端部の汚れを非常によく防止できるようになるという効果がある。
【００２１】
請求項２の転写搬送装置は、以上説明してきたように、ガイド部材中央部に位置して転写紙を除電する電極部材を備える構成としたので、上記共通の効果に加え、除電のための電極部材での画像乱れを防止することができるという効果がある。
【００２２】
請求項３の画像形成装置は、以上説明してきたように、転写ベルトの表面抵抗率が１０１３〜１０１４Ω／ｃｍ２、ガイド部材の表面抵抗率が上記転写ベルトの表面抵抗率と同一以上かつ１００倍以下という構成としたので、ガイド部材の帯電を防ぎ、転写紙の搬送及び転写紙と除電のための電極部材の距離を安定させ、電極板部での画像乱れを防止することができるようになるという効果がある。
【図面の簡単な説明】
【図１】本発明の対象となる画像形成装置の転写搬送装置周り及び定着ローラ、定着入口ガイド板の構成を概略的に示す断面図である。
【図２】図１の装置の駆動ローラの下流側に設けた転写出口ガイド板と電極板を示す拡大断面図である。
【図３】転写出口ガイドの表面抵抗率とトナー飛散の関係を示す図である。
【図４】転写出口ガイド板の表面抵抗率と画像乱れの関係をそれぞれ示す図である。
【符号の説明】
１  感光体ドラム
２  転写ベルト
３  駆動ローラ
４  従動ローラ
５  レジストローラ
６  レバー
７  転写バイアスローラ
９  転写ニップ部
１０  クリーニング装置
１１  クリーニングブレード
１２  クリーニングバイアスローラ
１３  回収コイル
１４  バイアスローラクリーニングブレード
１５  定着入口ガイド板
１６  定着ローラ
１７  加圧ローラ
１８  転写出口ガイド板
１９  電極板
【図１】
0004215379.tif 000002
【図２】
0004215379.tif 000003
【図３】
0004215379.tif 000004
【図４】
0004215379.tif 000005